(57)【要約】【課題】  座部を必要なときに回転不能とすることができ、コスト低減化を図ることができ、回転可能状態と回転規制状態とを確実に維持することができる回転椅子の回転規制装置を提供する。【解決手段】  脚部１の軸部に伸縮可能且つ回転不能なガスシリンダー５を備え、ガスシリンダーの上端部に座部の支持体６を回転可能に装着し、ガスシリンダーの上端部に固着した軸筒１２を支持体の底面部１３下面に固定した軸受部材１４と底面部とで回転可能に受け、回転規制手段７として、軸筒の下部に規制縁１６を有する規制板１５を固定し、支持体に、規制縁に係脱可能に当接して座部を回転不能とする当接片１８を有する係止部材１７を上下回動可能に設け、当接片が規制縁に当接した回転規制状態と離れた回転可能状態とに係止部材を操作し且つ各状態を弾性維持する係合具９を備えた操作手段８を設けた。【選択図】        図３
2005066059.tif 000002
【特許請求の範囲】
【請求項１】
脚部の軸部に伸縮可能且つ回転不能なガスシリンダーを備え、該ガスシリンダーの上端部に座部の下面に設けた支持体を回転可能に装着するとともに、回転規制手段にて前記座部を回転不能としてなる回転椅子の回転規制装置であって、前記ガスシリンダーの上端部に固着した軸筒を前記支持体の底面部下面に固定した軸受部材と該底面部とで回転可能に受け、前記回転規制手段として、前記軸筒の下部に回転軸芯と直交する規制縁を少なくとも一つ有する規制板を固定するとともに、前記支持体又は軸受部材に、前記規制板の規制縁に係脱可能に当接して前記座部を回転不能とする当接片を有する係止部材を上下回動可能に設け、更に前記当接片が規制縁に当接した回転規制状態と前記当接片が規制縁から離れた回転可能状態とに前記係止部材を操作し且つ各状態を弾性維持する係合具を備えた操作手段を設けてなることを特徴とする回転椅子の回転規制装置。
【請求項２】
前記規制板は互いに平行な少なくとも一対の規制縁を外周の対向位置に設けたものであり、前記係止部材は前記一対の規制縁に同時に当接する一対の当接片を開口部内縁に立起形成するとともに、一端部を水平な軸にて前記支持体に上下回動可能に取付けたものであり、前記係止部材の遊端側がその自重によって下動して前記両当接片を規制縁に当止した状態で該遊端側を前記軸受部材に設けた当止片に載支し、前記操作手段を操作して前記係止部材を上動させて前記当接片が規制縁から離れた状態に前記係合具で維持してなる請求項１記載の回転椅子の回転規制装置。
【請求項３】
前記操作手段を形成する操作レバーの回動軸を前記支持体の底面部下面に回動可能に支持し、該回動軸に前記係止部材の一端部を上下回動可能に取付けるとともに、該回動軸に前記係合具を取付けてなる請求項１又は２記載の回転椅子の回転規制装置。
【請求項４】
前記係合具は、合成樹脂製で成形し、前記操作レバーの回動軸に回動可能に嵌合するとともに、前記支持体に対して回転不能に保持する固定側部材と、前記回動軸に回転不能に嵌挿するとともに、前記係止部材を上下回動駆動する操作片を備えた回動側部材とよりなり、前記回動側部材にはその外周に突片を突設し、前記固定側部材には回動側部材の突片を係合する係合凹部を所定回転角度離れた位置に形成するとともに、両係合凹部の間に前記突片が回動移動する際に弾性的に退避する弾性片を形成してなる請求項３記載の回転椅子の回転規制装置。
【請求項５】
前記係合具の固定側部材に設けた弾性片は、前記回動軸の近傍から半径方向外方へ伸びた板片と、該板片の先端に前記回動軸と平行に延設した受片とからなる断面略Ｌ字形を有し、前記受片の両端縁であって半径方向内方側に前記係合凹部の一部を形成する切欠部を形成してなる請求項４記載の回転椅子の回転規制装置。
【発明の詳細な説明】
【技術分野】
【０００１】
本発明は、回転椅子の回転規制装置に係わり、更に詳しくは所望に応じて座部の回転を規制することができる回転椅子の回転規制装置に関するものである。
【背景技術】
【０００２】
従来から、本出願人は、脚部に対して座部が回転可能であり且つ高さ調節可能である回転椅子において、座部を必要なときに回転不能とすることが可能である回転椅子を提案している（特許文献１）。
【０００３】
ここで、通常の回転椅子の座部を回転可能且つ高さ調節可能に脚部で支持するために、脚部に立設した軸部にはシリンダー部と、該シリンダー部に対して回転可能且つ伸縮可能なピストンロッド部を備えたガスシリンダー（ガススプリングともいう）を用いている。そして、ピストンロッド部を軸部を構成する支持筒の底面部に取付けるとともに、シリンダー部を該支持筒の上端から上下摺動可能に突出させ、該シリンダー部の上端部に座部の支持体を回転不能に取付けている。尚、上記ガスシリンダーは、シリンダー部に対してピストンロッド部は回転規制されてないが、通常は回転を円滑にするためにピストンロッド部の下端部はベアリングを介して支持筒の底面部に回転可能に支持されている。
【０００４】
このような構造の回転椅子で、座部の回転を規制しようとすれば、支持筒に対するシリンダー部の回転を規制しなければならず、そのためには支持筒の外部から螺合した調節ネジでシリンダー部の周面を押圧する等の手段を取らざるを得ない。しかし、そのように支持筒に対するシリンダー部の回転を規制した状態では、今度は椅子の基本的機能である座部の高さ調節をすることができなくなる。
【０００５】
この改善策として、特許文献１では、脚部の軸部に伸縮可能且つ回転不能なガスシリンダーを用い、該ガスシリンダーの上端部に座部の下面に設けた支持体を回転可能に装着するとともに、回転規制手段にて前記座部を回転不能とすべく、前記ガスシリンダーの上端部に取付けた軸筒を、前記支持体に固定した軸受部材にて回転可能に受け、前記回転規制手段として、前記軸受部材より上方に突出した前記軸筒の上端部に回転軸芯と直交する規制縁を少なくとも一つ有する規制板を固定するとともに、該規制板の規制縁に係脱可能に当接して前記座部を回転不能とする係止部材を前記支持体に設けてなる回転椅子の回転規制装置を提案している。
【特許文献１】特開２００３−５２４７８号公報
【発明の開示】
【発明が解決しようとする課題】
【０００６】
しかし、前述の特許文献１に記載のものは、前記支持体の底面部に設けた円孔の上方側、即ち支持体の内部に軸受部材を固定するとともに、規制板に係脱する係止部材の一端部を水平な支軸にて上下回動可能に支持体の内部に取付けたので、前記支持体が大きくなり、また形状も複雑となって、スチール板からプレス成形する加工装置も大型化してコスト高となる。また、前記係止部材を規制板に対して係脱する操作手段は、前記支持体の外部に設けたレバーを回転操作することで、該支持体の内部で前記係止部材の基板下面に当接させて配したカムを回転させて当該係止部材を上下可動操作するものであるので、不意にレバーに当ると、カムが回転して回転可能な状態から回転規制された状態になる恐れもある。
【０００７】
そこで、本発明が前述の状況に鑑み、解決しようとするところは、脚部の軸部に伸縮可能且つ回転不能なガスシリンダーを備え、該ガスシリンダーの上端部に座部を回転可能に装着してなる回転椅子において、座部を必要なときに回転不能とすることが可能であり、コスト低減化を図ることができるとともに、回転可能な状態と回転規制された状態とを確実に維持することができる回転椅子の回転規制装置を提供する点にある。
【課題を解決するための手段】
【０００８】
本発明は、前述の課題解決のために、脚部の軸部に伸縮可能且つ回転不能なガスシリンダーを備え、該ガスシリンダーの上端部に座部の下面に設けた支持体を回転可能に装着するとともに、回転規制手段にて前記座部を回転不能としてなる回転椅子の回転規制装置であって、前記ガスシリンダーの上端部に固着した軸筒を前記支持体の底面部下面に固定した軸受部材と該底面部とで回転可能に受け、前記回転規制手段として、前記軸筒の下部に回転軸芯と直交する規制縁を少なくとも一つ有する規制板を固定するとともに、前記支持体又は軸受部材に、前記規制板の規制縁に係脱可能に当接して前記座部を回転不能とする当接片を有する係止部材を上下回動可能に設け、更に前記当接片が規制縁に当接した回転規制状態と前記当接片が規制縁から離れた回転可能状態とに前記係止部材を操作し且つ各状態を弾性維持する係合具を備えた操作手段を設けてなる回転椅子の回転規制装置を構成した（請求項１）。
【０００９】
更に具体的には、前記規制板は互いに平行な少なくとも一対の規制縁を外周の対向位置に設けたものであり、前記係止部材は前記一対の規制縁に同時に当接する一対の当接片を開口部内縁に立起形成するとともに、一端部を水平な軸にて前記支持体に上下回動可能に取付けたものであり、前記係止部材の遊端側がその自重によって下動して前記両当接片を規制縁に当止した状態で該遊端側を前記軸受部材に設けた当止片に載支し、前記操作手段を操作して前記係止部材を上動させて前記当接片が規制縁から離れた状態に前記係合具で維持してなる（請求項２）。
【００１０】
ここで、前記操作手段を形成する操作レバーの回動軸を前記支持体の底面部下面に回動可能に支持し、該回動軸に前記係止部材の一端部を上下回動可能に取付けるとともに、該回動軸に前記係合具を取付けてなることが好ましい（請求項３）。
【００１１】
更に、前記係合具は、合成樹脂製で成形し、前記操作レバーの回動軸に回動可能に嵌合するとともに、前記支持体に対して回転不能に保持する固定側部材と、前記回動軸に回転不能に嵌挿するとともに、前記係止部材を上下回動駆動する操作片を備えた回動側部材とよりなり、前記回動側部材にはその外周に突片を突設し、前記固定側部材には回動側部材の突片を係合する係合凹部を所定回転角度離れた位置に形成するとともに、両係合凹部の間に前記突片が回動移動する際に弾性的に退避する弾性片を形成してなることがより好ましい（請求項４）。
【００１２】
そして、前記係合具の固定側部材に設けた弾性片は、前記回動軸の近傍から半径方向外方へ伸びた板片と、該板片の先端に前記回動軸と平行に延設した受片とからなる断面略Ｌ字形を有し、前記受片の両端縁であって半径方向内方側に前記係合凹部の一部を形成する切欠部を形成してなると更に好ましい（請求項５）。
【発明の効果】
【００１３】
請求項１に係る発明によれば、座部を必要なときに回転不能とすることが可能であり、支持体を簡単且つ小型化してコスト低減化を図ることができるとともに、回転可能状態と回転規制状態とを係合具で弾性維持することができる。
【００１４】
請求項２に係る発明によれば、座部の回転規制を確実に行うことができ、耐久性も高く、信頼性にも優れている。
【００１５】
請求項３に係る発明によれば、係止部材は操作レバーの回動軸を利用して取付けるので、別途取付けのための軸を設ける等の付加構成が不要であるため、構造が簡単であり、部品点数も少ないので、組立てが容易でコスト低減化を図ることができる。
【００１６】
請求項４に係る発明によれば、係合具も操作レバーの回動軸を利用して取付けるので、別途取付けのための付加構成が不要であり、組立ても簡単に行うことができる。
【００１７】
請求項５に係る発明によれば、回動側部材の突片が固定側部材の二つの係合凹部間を回動移動する際に、弾性片の板片が湾曲することで受片がその回動軌跡外に退避する構造であるので、弾性片の耐久性が高く、しかも弾性力も大きいので、前記回動側部材の突片を両係合凹部に係合した状態を確実に維持することができる。
【発明を実施するための最良の形態】
【００１８】
次に本発明の実施の形態を添付図面に基づき更に詳細に説明する。図１〜図５は本発明に係る回転椅子の回転規制装置の代表的実施形態を示し、図中符号１は脚部、２は座部、３は背凭れ部、４は軸部、５はガスシリンダー、６は支持体、７は回転規制手段、８は操作手段、９は係合具、１０はカバーをそれぞれ示している。
【００１９】
本実施形態における回転椅子は、脚部１の軸部４に伸縮可能且つ回転不能なガスシリンダー５を備え、該ガスシリンダー５の上端部に座部２の下面に設けた支持体６を回転可能に装着するとともに、回転規制手段７にて前記座部２を回転不能としてなるものである。また、前記座部２の後部には、背凭れ部３を適宜設け、該背凭れ部３を支持する背凭れ杆１１の下端部を前記支持体６に取付けている。そして、前記ガスシリンダー５の上端部に固着した軸筒１２を前記支持体６の底面部１３下面に固定した軸受部材１４と該底面部１３とで回転可能に受け、前記回転規制手段７として、前記軸筒１２の下部に回転軸芯と直交する規制縁１６を少なくとも一つ有する規制板１５を固定するとともに、前記支持体６又は軸受部材１４に、前記規制板１５の規制縁１６に係脱可能に当接して前記座部２を回転不能とする当接片１８を有する係止部材１７を上下回動可能に設け、更に前記当接片１８が規制縁１６に当接した回転規制状態と前記当接片１８が規制縁１６から離れた回転可能状態とに前記係止部材１７を操作し且つ各状態を弾性維持する係合具９を備えた操作手段８を設けてなるのである。
【００２０】
更に詳しくは、図１に示すように、前記脚部１は、放射状に延びた複数の支脚１９，…の中心部に前記軸部４を立設したものであり、該軸部４には伸縮可能且つ回転不能なガスシリンダー５が内蔵されており、該ガスシリンダー５の上端部に固着した軸筒１２を前記座部２の下面に取付けた支持体６と軸受部材１４とに回転可能に装着している。
【００２１】
前記軸筒１２は、図２及び図３に示すように、内部に前記ガスシリンダー５の上端部の先細テーパー部を回転不能に嵌合するテーパー状の中心孔２０を有するとともに、上端部の周囲には環状溝２１を形成したものである。そして、前記軸筒１２の下部の周囲に前記規制板１５をその軸芯と直交させて溶接固定している。
【００２２】
前記軸受部材１４は、図２及び図３に示すように、前記支持体６の水平な底面部１３の下面に固定して前記軸筒１２を回転可能に受ける部材であり、基台板２２の両側に脚板２３，２３を立上げた断面コ字形を有し、両脚板２３，２３の上端を前記支持体６の底面部１３の下面に溶接固定したものである。更に、前記軸受部材１４の基台板２２に円孔２４を形成するとともに、該円孔２４の直上に対応する支持体６の底面部１３に同様な円孔２５を形成している。
【００２３】
そして、図２及び図３に示すように、前記軸受部材１４の円孔２４に下方から下方摺動部材２６を嵌挿するとともに、前記支持体６の円孔２５に上方から上方摺動部材２７を嵌挿する。ここで、前記下方摺動部材２６は、滑り特性に優れた合成樹脂製であり、前記軸受部材１４の円孔２４に嵌挿するスリーブ２８と、その下端の周囲に形成したスライダー板２９とからなっている。また、前記上方摺動部材２７は、滑り特性に優れた合成樹脂製であり、前記支持体６の円孔２５に嵌挿するスリーブ３０と、その上端の周囲に形成したスライダー板３１とからなっている。前記下方摺動部材２６と前記上方摺動部材２７とをそれぞれ前記軸受部材１４の円孔２４と前記支持体６の円孔２５に嵌挿した状態で、前記規制板１５の上面にリング状のスライドシート３２を積層した状態で、前記軸筒１２を下方摺動部材２６のスリーブ２８内から上方摺動部材２７のスリーブ３０に回転可能に挿通し、前記スライダー板３１より上方へ突出した前記軸筒１２の上端に平ワッシャ３３を遊挿し、更に前記環状溝２１にＣリング３４を嵌合して抜止めを行っている。従って、座部２にかかる荷重は、前記軸受部材１４の基台板２２、下方摺動部材２６のスライダー板２９、スライドシート３２を介して前記規制板１５で受けることになる。
【００２４】
そして、図４に示すように、前記回転規制手段７を構成する前記規制板１５は、互いに平行な少なくとも一対の規制縁１６，１６を外周の対向位置に設けたものであり、更に具体的には３対の規制縁１６，１６を周囲に有する平面視正六角形状の板である。また、前記回転規制手段７を構成する前記係止部材１７は、前記規制板１５の一対の規制縁１０，１０に同時に当接する一対の当接片１８，１８を開口部３５内縁に立起形成するとともに、一端部を水平な軸３６（後述の操作レバーの回動軸３６）にて前記支持体６に上下回動可能に取付けたものであり、前記係止部材１７の遊端側がその自重によって下動して前記両当接片１８，１８を規制縁１６，１６に当止した状態で該遊端側を前記軸受部材１４に設けた当止片３７に載支し、前記操作手段８を操作して前記係止部材１７を上動させて前記当接片１８，１８が規制縁１６，１６から離れた状態に前記係合具９で維持するのである。更に具体的には、前記規制板１５は、基板３８の中央部に四角形の前記開口部３５を形成し、該基板３８の一端部の両側に立ち上げ形成した連結片３９，３９を、前記軸３６で回動可能に支持体６の底面部１３に切起し形成した軸受片４０，４０に取付けている。
【００２５】
また、前記操作手段８を形成する操作レバー４１は、クランク状（略Ｚ字状）に屈曲した金属棒であり、その回動軸３６を前記支持体６の底面部１３下面に回動可能に切起し形成した軸受片４０，４０に回動可能に支持し、該回動軸３６に前記係止部材１７の一端部を上下回動可能に取付けるとともに、該回動軸３６に前記係合具９を取付けている。
【００２６】
前記係合具９は、図６〜図９に詳しく示しているように、合成樹脂製で成形し、前記操作レバー４１の回動軸３６に回動可能に嵌合するとともに、前記支持体６に対して回転不能に保持する固定側部材４２と、前記回動軸３６に回転不能に嵌挿するとともに、前記係止部材１７を上下回動駆動する操作片４４を備えた回動側部材４３とよりなり、前記回動側部材４３にはその外周に突片４５を突設し、前記固定側部材４２には回動側部材４３の突片４５を係合する係合凹部４６，４６を所定回転角度離れた位置に形成するとともに、両係合凹部４６，４６の間に前記突片４５が回動移動する際に弾性的に退避する弾性片４７を形成している。ここで、前記係合具９の固定側部材４２に設けた弾性片４７は、前記回動軸３６の近傍から半径方向外方へ伸びた板片４７Ａと、該板片４７Ａの先端に前記回動軸３６と平行に延設した受片４７Ｂとからなる断面略Ｌ字形を有し、前記受片４７Ｂの両端縁であって半径方向内方側に前記係合凹部４６，４６の一部を形成する切欠部４７Ｃ，４７Ｃを形成している。
【００２７】
更に詳しくは、前記係合具９の固定側部材４２は、基面部４８の中央部に前記回動軸３６を回転可能に挿通する筒部４９を形成し、該筒部４９に前記係止部材１７の連結片３９の軸孔３９Ａを回転可能に外嵌できるようになっている。そして、前記固定側部材４２の筒部４９を突設した側と反対側面の一端部に突出部５０を形成し、該突出部５０の内面側、即ち筒部４９の軸芯を臨む側に前記係合凹部４６，４６を形成し、前記弾性片４７は前記基面部４８から突出部５０にかけて切り出すことによって形成し、つまり前記板片４７Ａは前記基面部４８の一部から、前記受片４７Ｂは前記突出部５０の一部から形成される。また、前記係合具９の回動側部材４３は、前記回動軸３６を嵌挿する軸筒部５１の軸方向一端部の外周に前記操作片４４と突片４５を略９０°の回転角度離れた位置に突設するとともに、軸方向他端部の外周一部にはその軸孔５２に連通する嵌合部５３を形成している。従って、前記回動側部材４３の嵌合部５３に、前記回動軸３６から直角に屈曲したクランク部５４を嵌合することにより、前記操作レバー４１の操作に伴って回動する前記回動軸３６と一体となって当該回動側部材４３を回動させることが可能となる。一方、前記固定側部材４２は、前記回動軸３６に筒部４９を回動可能に嵌挿した状態で、一側面の直線部５５を前記支持体６の底面部１３下面に当接することによって回転しないようになる。
【００２８】
更に、図２に示すように、前記係止部材１７の一方の連結片３９の軸孔３９Ａには、前記固定側部材４２の筒部４９が挿入されて軸受の作用をし、他方の連結片３９の軸孔３９Ａには同じく軸受の作用をする合成樹脂製のブッシュ５６を嵌挿し、該ブッシュ５６を貫通した前記回動軸３６の先端部に割ピン等を装着して抜止めを図っている。尚、前記連結片３９と軸受片４０の位置関係は、軸受片４０の外側に連結片３９が位置するように設定している。また、両軸受片４０，４０の間の回動軸３６には、前記背凭れ杆１１の下部を前記支持体６の底面部１３との間に挟み込んで取付けるための取付部材５７の一端部を回動可能に保持している。そして、前記係止部材１７の開口部３５内に前記軸受部材１４が位置している。
【００２９】
前記支持体６は、前記底面部１３の上面側に、前記軸筒１２の上端部を受入れる空間、正確には前記上方摺動部材２７のスライダー板３１と、平ワッシャ３３と、Ｃリング３４及び該Ｃリング３４から突出した軸筒１２の上端余剰部を受入れる空間を形成できれば、その構造には限定されない。例えば、前記支持体６は、本実施形態では厚さ２．８ｍｍのＳＰＨＣを用いてプレス成形によって製造するが、その形状はプレス成形し易い形状にすることができる。本実施形態の前記支持体６は、前記底面部１３の両側に約４５°の角度に上方へ開いた側面部５８，５８を形成するとともに、両側面部５８，５８の上端外方に開いた固定部５９，５９を形成し、該固定部５９，５９を前記座部２の下面にネジ止め固定するようにしている。
【００３０】
最後に前記回転規制手段７と操作手段８の動作を、図４及び図５に基づいて説明する。前記係止部材１７は、前記支持体６に設けた操作手段８で上下回動操作し、前記係止部材１７の当接片１８，１８が前記規制板１５の規制縁１６，１６に当接した回転規制状態と前記当接片１８が規制縁１６から離れた回転可能状態とを実現してなるのである。
【００３１】
図４は、回転規制状態を示し、前記操作レバー４１を押し下げて、前記回動側部材４３の突片４５が固定側部材４３の上方側の係合凹部４６に係合するとともに、前記操作片４４は鉛直方向に対して外側に傾斜し、前記係止部材１７とは接触しない位置に退避し、それにより該係止部材１７は回動軸３６を中心として自重により遊端側が下動して前記軸受部材１４の基台板２２に延設した当止片３７で当止され、その状態で前記係止部材１７の両当接片１８，１８は前記規制板１５の両規制縁１６，１６に当接し、その回転を不能にするのである。ここで、前記座部２に無理な回転力が加わっても、前記軸受部材１４が係止部材１７の開口部３５内に位置しているので、両当接片１８，１８がそれぞれ軸受部材１４の脚板２３，２３の外面に当止され、もって係止部材１７を前記支持体６に回動可能に取付けた連結片３９や軸受片４０が変形する恐れがないのである。
【００３２】
図５は、回転可能状態を示し、図４の状態から操作レバー４１を引き上げて、前記回動軸３６が時計回りに回転すると、それに伴って前記回動側部材４３の突片４５が弾性片４７を変形させてその回転軌跡外に退避させながら回転し、該突片４５が下方の係合凹部４６に係合し、それと同時に前記回動側部材４３の操作片４４が前記係止部材１７の基板２３の上面に当止しながらその遊端側を上動させ、両当接片１８，１８が前記規制板１５の両規制縁１６，１６から離れ、前記座部２が自由に回動できる状態になる。
【００３３】
また、図示しないが、前記ガスシリンダー５の上端に設けたピンを押し込み操作すれば、従来のものと同様に伸縮するので、座部２が回転規制状態か回転可能状態かによらず座部２の高さを調節できる。
【図面の簡単な説明】
【００３４】
【図１】本発明に係る回転椅子の全体側面図である。
【図２】本発明の要部の分解斜視図である。
【図３】同じく組立てた状態の要部を示す部分断面図である。
【図４】回転規制状態を示す部分側面図である。
【図５】回転可能状態を示す部分側面図である。
【図６】係合具の正面図である。
【図７】係合具の分解斜視図である。
【図８】係合具を構成する固定側部材を示し、（ａ）は正面図、（ｂ）は平面図、（ｃ）は断面図をそれぞれ示している。
【図９】係合具を構成する回動側部材を示し、（ａ）は正面図、（ｂ）は右側面図、（ｃ）は平面図をそれぞれ示している。
【符号の説明】
【００３５】
１  脚部                ２  座部
３  背凭れ部            ４  軸部
５  ガスシリンダー      ６  支持体
７  回転規制手段        ８  操作手段
９  係合具              １０  カバー
１１  背凭れ杆          １２  軸筒
１３  底面部            １４  軸受部材
１５  規制板            １６  規制縁
１７  係止部材          １８  当接片
１９  支脚              ２０  中心孔
２１  環状溝            ２２  基台板
２３  脚板              ２４  円孔
２５  円孔              ２６  下方摺動部材
２７  上方摺動部材      ２８  スリーブ
２９  スライダー板      ３０  スリーブ
３１  スライダー板      ３２  スライドシート
３３  平ワッシャ        ３４  Ｃリング
３５  開口部            ３６  回動軸
３７  当止片            ３８  基板
３９  連結片            ３９Ａ  軸孔
４０  軸受片            ４１  操作レバー
４２  固定側部材        ４３  回動側部材
４４  操作片            ４５  突片
４６  係合凹部          ４７  弾性片
４７Ａ  板片            ４７Ｂ  受片
４７Ｃ  切欠部          ４８  基面部
４９  筒部              ５０  突出部
５１  軸筒部            ５２  軸孔
５３  嵌合部            ５４  クランク部
５５  直線部            ５６  ブッシュ
５７  取付部材          ５８  側面部
５９  固定部
【図１】
2005066059.tif 000003
【図２】
2005066059.tif 000004
【図３】
2005066059.tif 000005
【図４】
2005066059.tif 000006
【図５】
2005066059.tif 000007
【図６】
2005066059.tif 000008
【図７】
2005066059.tif 000009
【図８】
2005066059.tif 000010
【図９】
2005066059.tif 000011